(57)【特許請求の範囲】
【請求項１】
門柱用部品に略十字状の取り付け部を設けると共に押さえ部材の裏面に設けた略十字状の収納溝に上記取り付け部を収め、裏面側から止めねじにて取り付け部を押さえ部材に取着し、取り付け部を介して押さえ部材を門柱の外面に沿わせ、押さえ部材の表面側から固定ねじを押さえ部材に貫通させて門柱側に螺合すると共に取り付け部を門柱の外面と押さえ部材との間に挟持して成ることを特徴とする門柱への門柱用部品の取り付け構造。
【請求項２】
門柱に上下方向に取り付け凹溝を設けると共に取り付け凹溝の開口の両側の突片に両側が係当し得る固定用裏板を上下に移動自在に収納し、押さえ部材の表面側から固定ねじを押さえ部材及び取り付け部に貫通させると共に固定ねじを固定用裏板に螺合して成ることを特徴とする請求項１記載の門柱への門柱用部品の取り付け構造。
【請求項３】
表面が平面で裏面が門柱の外面に沿う取り付けアタッッチメントを門柱の外面に取着し、押さえ部材の表面側から固定ねじを押さえ部材に貫通させて取り付けアタッチメントに螺合すると共に取り付け部を取り付けアタッチメントの表面と押さえ部材との間に挟持して成ることを特徴とする請求項１記載の門柱への門柱用部品の取り付け構造。
【請求項４】
門柱用部品としての表札部材を上部の表札部と下部の取り付け部とこれらの間を繋ぐ上下に長いアームとで形成し、取り付け部を介して押さえ部材を門柱の上端の近傍で門柱の外面に沿わせ、押さえ部材の表面側から固定ねじを押さえ部材に貫通させて門柱側に螺合すると共に取り付け部を門柱の外面と押さえ部材との間に挟持し、門柱の上端に被着したキャップを避けるように上記アームに逃げ凹部を設けて成ることを特徴とする請求項１記載の門柱への門柱用部品の取り付け構造。
【発明の詳細な説明】
【０００１】
【発明の属する技術分野】
本発明は、門柱にポスト、表札等の門柱用部品を取り付けるための構造に関するものである。
【０００２】
【従来の技術及び発明が解決しようとする課題】
一般に門柱に門柱用部品を取り付ける場合、門柱用部品の取り付け部を門柱の外面に沿わせ、取り付け部の表面側からボルトのような固定ねじを取り付け部に貫通させ、固定ねじを門柱側に取り付けること考えられる。ところが取り付け部を直接門柱に固定ねじで固定するだけの構造であると、取り付け部の取り付け強度が弱いという問題がある。また取り付け部を門柱に取り付けた部分の外観も悪いという問題がある。
【０００３】
本発明は叙述の点に鑑みてなされたものであって、門柱用部品を確実且つ強固に取り付けることができ、しかも門柱への取り付け部分を外観よく仕舞うことができる門柱への門柱用部品の取り付け構造を提供することを課題とする。
【０００４】
【課題を解決するための手段】
上記課題を解決するため本発明の門柱への門柱用部品の取り付け構造は、門柱用部品Ａに略十字状の取り付け部１を設けると共に押さえ部材２の裏面に設けた略十字状の収納溝３に上記取り付け部１を収め、裏面側から止めねじ４にて取り付け部１を押さえ部材２に取着し、取り付け部１を介して押さえ部材２を門柱５の外面に沿わせ、押さえ部材２の表面側から固定ねじ６を押さえ部材２に貫通させて門柱５側に螺合すると共に取り付け部１を門柱５の外面と押さえ部材２との間に挟持して成ることを特徴とする。略十字状の取り付け部１を押さえ部材２の略十字状の収納溝３に収めることと、押さえ部材２にて押さえることで押さえ部材２と門柱１の外面との間に取り付け部１を挟持するように取り付けることで、門柱用部品Ａを確実且つ強固に取り付けることができる。また取り付け部１を押さえ部材２で押さえることで取り付ける部分を外観よく仕舞うことができる。
【０００５】
また門柱５に上下方向に取り付け凹溝７を設けると共に取り付け凹溝７の開口の両側の突片８に両側が係当し得る固定用裏板９を上下に移動自在に収納し、押さえ部材２の表面側から固定ねじ６を押さえ部材２及び取り付け部１に貫通させると共に固定ねじ６を固定用裏板９に螺合して成ることを特徴とすることも好ましい。この場合、取り付け凹溝７に対して固定用裏板９を上下させることにより押さえ部材２にて取り付け部１を門柱５に取り付ける位置を変えることができて門柱用部品Ａを任意の高さ位置に取り付けることができる。
【０００６】
また表面が平面で裏面が門柱５の外面に沿う取り付けアタッッチメント１０を門柱１の外面に取着し、押さえ部材２の表面側から固定ねじ６を押さえ部材２に貫通させて取り付けアタッチメント１０に螺合すると共に取り付け部１を取り付けアタッチメント１０の表面と押さえ部材２との間に挟持して成ることを特徴とすることも好ましい。門柱５の外面形状によらず、取り付けアタッチメント１０の取り付けで表面に平面を形成し、押さえ部材２で門柱用部品Ａを容易に取り付けることができる。
【０００７】
また門柱用部品Ａとしての表札部材Ａ２を上部の表札部１１と下部の取り付け部１とこれらの間を繋ぐ上下に長いアーム１２とで形成し、取り付け部１を介して押さえ部材２を門柱５の上端の近傍で門柱５の外面に沿わせ、押さえ部材２の表面側から固定ねじ６を押さえ部材２に貫通させて門柱５側に螺合すると共に取り付け部１を門柱５の外面と押さえ部材２との間に挟持し、門柱５の上端に被着したキャップ１３を避けるように上記アーム１２に逃げ凹部１２ａを設けて成ることを特徴とすることも好ましい。この場合、表札部材Ａ２の表札部１１が門柱５の上端より高い位置に位置するように取り付けることができ、表札部材Ａ２の下にポスト１５を取り付ける場合、ポスト１５の高さを高くできる。また門柱５の上端より表札部１１を高くしてもアーム１２が門柱５の上端のキャップ１３に当たらないように取り付けることができる。
【０００８】
【発明の実施の形態】
先ず、図１乃至図３に示す実施の形態の例から述べる。門柱５は本例の場合、内部が中空の円柱状に形成されており、周方向の適所に上下方向に亙るように取り付け凹溝７が凹設してある。本例の場合、周方向の３箇所に９０°の間隔で凹設してある。この取り付け凹溝７の外面側の開口の両側には突片８を上下方向全長に亙って設けてある。また門柱５の外面には隣り合う取り付け凹溝７間に複数本の係止溝１６が位置するように凹設してある。この係止溝１６は取り付け凹溝７より浅い凹溝であり、化粧用の模様も兼ねている。上記取り付け凹溝７内には固定用裏板９を上下にスライド自在になるように挿通してあり、固定用裏板９の両側が突片８に係当するようにしてあり、固定用裏板９には上下に位置するように雌ねじ孔１７を穿孔してある。
【０００９】
門柱用部品Ａは本例の場合、ポスト１５を取り付けるための台座Ａ１であり、上下に長い縦杆１８の上下方向の中間の高さ位置に水平な台部１９を一体に設けると共に縦杆１８の上下に取り付け部１を設けて形成されている。上下の取り付け部１は略十字状に形成されており、取り付け部１の左右両側には透孔２０が
設けられており、取り付け部１の上下には挿通孔２１が穿孔されている。
【００１０】
押さえ部材２は取り付け部１より大きさの大きなブロックであり、表面はアクリル焼き付け塗装等で外観よく仕上げてある。押さえ部材２の裏面は門柱５の外面に沿う曲面にしてあり、この裏面から取り付け部１の形状に合致する略十字状の収納溝３を凹設してあり、押さえ部材２の裏面の両側には上記係止溝１６に係止する係止突起２２を突設してある。収納溝３の底部の左右には上記透孔２０に対応する雌ねじ孔２３を穿孔してあり、収納溝３の底部の上下には上記挿通孔２１に対応する挿通孔２４を穿孔してある。
【００１１】
門柱用部品Ａとしての台座Ａ１を取り付ける場合には次のように行われる。台座Ａ１の上下の取り付け部１に対応するように夫々押さえ部材２が配置され、押さえ部材２の裏面側から収納溝３内に取り付け部１が収納され、取り付け部１から透孔２０を介して雌ねじ孔２３にビスのような止めねじ４を螺合されて取り付け部１が押さえ部材２に取り付けられる。この状態で取り付け部１の挿通孔２１と押さえ部材２の挿通孔２４とが対応させられる。この状態で押さえ部材２の裏面が門柱５の外面に沿うように配置されると共に係止突起２２が係止溝１６に形成され、押さえ部材２の表面から挿通孔２４、挿通孔２１にビスのような固定ねじ６が挿通され、固定用裏板９の雌ねじ孔１７に螺合されて押さえ部材２と門柱５の外面との間に取り付け部１が挟持されると共に押さえ部材２が門柱５の外面に押し付けられるように台座Ａ１が取り付けられる。
【００１２】
上記のように台座Ａ１が取り付けられることにより、台座Ａ１が確実且つ強固に取り付けられ、また取り付け部１が露出しないように押さえ部材２で外観よく仕舞われる。また固定用裏板９の位置を取り付け溝７に沿って上下に移動することで台座Ａ１を取り付ける高さ位置を自在に変えることができる。上記のように台座Ａ１を取り付けた後、台座Ａ１の台部１９の上にポスト１５が設置される。また門柱５には複数の取り付け凹溝７を上下方向に設けてあり、この複数の取り付け凹溝７を用いて台座Ａ１のような門柱用部品Ａを取り付けることができ、例えば、図４に示すように門柱５の両側の同じ高さ位置に台座Ａ１を取り付けてポスト１５を設置することも可能で、２世帯住宅の門柱として有用に利用できる。
【００１３】
図５の例では門柱用部品Ａとして表札部材Ａ２を取り付けるものである。表札部材Ａ２は上部の表札部１１と下部の取り付け部１とこれらの間を繋ぐ上下に長いアーム１２と、飾り部３１で形成してある。かかる表札部材Ａ２も上記のように押さえ部材２を用いて同様に取り付けてある。
【００１４】
また図６も表札部材２を取り付けるものであるが、本例の場合、角柱状の門柱５に取り付けるものである。押さえ部材２は図７に示すように裏面を門柱５の外面に沿う平面にしてあり、この裏面から取り付け部１の形状に合致する略十字状の収納溝３を凹設してある。収納溝３の底部の左右には雌ねじ孔２３を穿孔してあり、押さえ部材２の両側には挿通孔２４を穿孔してある。
【００１５】
表札部材２を取り付ける場合には次のように行われる。表札部材Ａ２の下の取り付け部１に対応するように夫々押さえ部材２が配置され、押さえ部材２の裏面側から収納溝３内に取り付け部１が収納され、取り付け部１から透孔２０を介して雌ねじ孔２３にビスのような止めねじ４を螺合されて取り付け部１が押さえ部材２に取り付けられる。この状態で押さえ部材２の裏面が門柱５の外面に沿うように配置され、押さえ部材２の表面から挿通孔２４にビスのような固定ねじ６が挿通され、固定ねじ６が門柱５に螺合されて押さえ部材２と門柱５の外面との間に取り付け部１が挟持されると共に押さえ部材２が門柱５の外面に押し付けられるように表札部材Ａ２が取り付けられる。
【００１６】
また図８、図９は他の例を示すものである。これは円柱状の門柱５に取り付けアタッチメント１０を介して門柱用部品Ａの取り付け部１を取り付けるものである。この取り付けアタッチメント１０は裏面に門柱の外面に沿う曲面２６を設けてあり、表面にフラットな平面２７を設けてある。この取り付けアタッチメント１０には左右に透孔２８と雌ねじ孔２９を穿孔してある。この取り付けアタッチメント１０は裏面の曲面２６を門柱５の外面に沿わせて配置され、ビスのような取り付けねじ３０を表面側から透孔２８に挿通し、取り付けねじ３０を門柱５に螺合することにより取り付けられる。押さえ部材２は図７に示すものと同じであり、押さえ部材２の裏面が平面であると共に押さえ部材２の左右に挿通孔２４を穿孔してある。門柱用部品Ａの取り付け部１は押さえ部材２の裏面側から収納溝３内に収納され、取り付け部１から透孔２０を介して雌ねじ孔２３にビスのような止めねじ４を螺合されて取り付け部１が押さえ部材２に取り付けられる。そして押さえ部材２が取り付けアタッチメント１０の表面に重ねられ、押さえ部材２の表面から挿通孔２４に固定ねじ６が挿通され、取り付けアタッチメント１０の雌ねじ孔２９に螺合されて押さえ部材２と取り付けアタッチメント１０の表面との間に取り付け部１が挟持されると共に押さえ部材２が取り付けアタッチメント１０の表面に押し付けられるように門柱用部品Ａが取り付けられる。このように取り付けアタッチメント１０を用いて取り付けると円柱状の門柱５でも容易に取り付けることができる。また取り付けアタッチメント１０として種々のものを用意しておくと、種々の径の門柱５に対応して取り付けることができる。
【００１７】
図１０は上記例と同様にして表札部材Ａ２を取り付けた具体例を示すものであり、この場合、押さえ部材２は図７に示すものを用いており、取り付けアタッチメント１０は図１１に示すものを用いている。
【００１８】
図１２は表札部材Ａ２を上記のように取り付けたとき、門柱５の上端に近い位置でも取り付け部１を門柱５に取り付けており、表札部材Ａ２の表札部１１が門柱５の上端より上方に位置させてある。門柱５の上端にはキャップ１３を装着してあるが、アーム１２には逃げ凹部１２ａを設けてあり、アーム１２がキャップ１３に当たらないように逃げている。このようにすると、表札部材Ａ２の表札部１１が門柱５の上端より高い位置に位置するように取り付けることができ、表札部材Ａ２の下にポスト１５を取りける場合、ポスト１５の高さを高くできる。また門柱５の上端より表札部１１を高くしてもアーム１２が門柱５の上端のキャップ１３に当たらないように取り付けることができる。
【００１９】
また図１３、図１４は表札部材Ａ２と台座Ａ１とが上下に位置するように門柱５に取り付けるものである。この例の場合も上記と例と同様に押さえ部材２で取り付け部１を押さえて取り付けるのであるが、表札部材Ａ２の取り付け部１を押さえる押さえ部材２と台座Ａ１の上部の取り付け部１を押さえる押さえ部材２とを連結棒３２で一体に連結してある。このようにすると表札部材Ａ２と台座Ａ１の間隔が一定になるように取り付けることができ、表札部材Ａ２を取り付ける高さ位置を高くすればポスト１５を取り付ける高さ位置も高くできる。なお、上記表札部材Ａ２や台座Ａ１をダイキャスト製品とするとコストダウンが図れる。
【００２０】
【発明の効果】
本発明の請求項１の発明は、門柱用部品に略十字状の取り付け部を設けると共に押さえ部材の裏面に設けた略十字状の収納溝に上記取り付け部を収め、裏面側から止めねじにて取り付け部を押さえ部材に取着し、取り付け部を介して押さえ部材を門柱の外面に沿わせ、押さえ部材の表面側から固定ねじを押さえ部材に貫通させて門柱側に螺合すると共に取り付け部を門柱の外面と押さえ部材との間に挟持しているので、略十字状の取り付け部を押さえ部材の略十字状の収納溝に収めることと、押さえ部材にて押さえることで押さえ部材と門柱の外面との間に取り付け部を挟持するように取り付けることで、門柱用部品を確実且つ強固に取り付けることができるものであり、また取り付け部を押さえ部材で押さえることで取り付ける部分を外観よく仕舞うことができるものである。
【００２１】
また本発明の請求項２の発明は、請求項１において、門柱に上下方向に取り付け凹溝を設けると共に取り付け凹溝の開口の両側の突片に両側が係当し得る固定用裏板を上下に移動自在に収納し、押さえ部材の表面側から固定ねじを押さえ部材及び取り付け部に貫通させると共に固定ねじを固定用裏板に螺合しているので、取り付け凹溝に対して固定用裏板を上下させることにより押さえ部材にて取り付け部を門柱に取り付ける位置を変えることができて門柱用部品を任意の高さ位置に取り付けることができるものである。
【００２２】
また本発明の請求項３の発明は、請求項２において、表面が平面で裏面が門柱の外面に沿う取り付けアタッッチメントを門柱の外面に取着し、押さえ部材の表面側から固定ねじを押さえ部材に貫通させて取り付けアタッチメントに螺合すると共に取り付け部を取り付けアタッチメントの表面と押さえ部材との間に挟持しているので、門柱の外面形状によらず、取り付けアタッチメントの取り付けで表面に平面を形成し、押さえ部材で門柱用部品を容易に取り付けることができるものである。
【００２３】
また本発明の請求項４の発明は、請求項３において、門柱用部品としての表札部材を上部の表札部と下部の取り付け部とこれらの間を繋ぐ上下に長いアームとで形成し、取り付け部を介して押さえ部材を門柱の上端の近傍で門柱の外面に沿わせ、押さえ部材の表面側から固定ねじを押さえ部材に貫通させて門柱側に螺合すると共に取り付け部を門柱の外面と押さえ部材との間に挟持し、門柱の上端に被着したキャップを避けるように上記アームに逃げ凹部を設けているので、表札部材の表札部が門柱の上端より高い位置に位置するように取り付けることができ、表札部材の下にポストを取り付ける場合、ポストの高さを高くできるものであり、また門柱の上端より表札部を高くしてもアームが門柱の上端のキャップに当たらないように取り付けることができるものである。
【図面の簡単な説明】
【図１】本発明の実施の形態の一例の分解斜視図である。
【図２】同上の組み立て状態の一部切欠正面図である。
【図３】同上の押さえ部材を示し、（ａ）は平面図、（ｂ）は正面図、（ｃ）は左側面図、（ｄ）は右側面図である。
【図４】同上の門柱の両側にポストを取り付ける状態を示す正面図である。
【図５】同上の他の例を示し、（ａ）は平面図、（ｂ）は正面図、（ｃ）は側面図である。
【図６】同上の他の例を示し、（ａ）は平面図、（ｂ）は正面図、（ｃ）は側面図である。
【図７】同上の押さえ部材を示し、（ａ）は平面図、（ｂ）は左側面図、（ｃ）は右側面図、（ｄ）は底面図である。
【図８】同上の他の例の押さえ部材と取り付けアタッチメントとを示す分解斜視図である。
【図９】同上の押さえ部材と取り付け部を示す分解斜視図である。
【図１０】同上の他の例を示し、（ａ）は平面図、（ｂ）は正面図、（ｃ）は側面図である。
【図１１】同上の取り付けアタッチメントを示し、（ａ）は正面図、（ｂ）は側面図である。
【図１２】同上の他の例の正面図である。
【図１３】同上の他の例を示し、（ａ）は平面図、（ｂ）は正面図、（ｃ）は側面図である。
【図１４】同上の要部の分解斜視図である。
【符号の説明】
Ａ  門柱用部品
１  取り付け部
２  押さえ部材
３  収納溝
４  止めねじ
５  門柱
６  固定ねじ
７  取り付け凹溝
８  突片
９  固定用裏板
【図１】
0003606201.tif 000002
【図２】
0003606201.tif 000003
【図３】
0003606201.tif 000004
【図４】
0003606201.tif 000005
【図５】
0003606201.tif 000006
【図６】
0003606201.tif 000007
【図７】
0003606201.tif 000008
【図８】
0003606201.tif 000009
【図９】
0003606201.tif 000010
【図１０】
0003606201.tif 000011
【図１１】
0003606201.tif 000012
【図１２】
0003606201.tif 000013
【図１３】
0003606201.tif 000014
【図１４】
0003606201.tif 000015